(57)【要約】【課題】  遮音効果に優れ且つ外観が良い二重サッシを提供する。【解決手段】  本発明の二重サッシ１は、サッシ枠７と、サッシ枠内周側を閉塞する内側閉塞体３と、内側閉塞体３の室外側においてサッシ枠７の内周側を閉塞する外側閉塞体５とを備え、内側閉塞体３と外側閉塞体５の間には中間空気層２０が設けてあり、サッシ枠７は、サッシ枠の上下左右枠２１、２３、２５の少なくとも一つの枠は、吸音材３１と枠内空気層３５、３７とを内部に有しており、吸音材３１の内周側面３１ａが中間空気層２０に面し且つ外周側面３１ｄ、室内側面３１ｂ及び室外側面３１ｃのうちの少なくとも一つの面が枠内空気層３５、３７に面している。【選択図】      図１
2006002466.tif 000002
【特許請求の範囲】
【請求項１】
サッシ枠と、サッシ枠内周側を閉塞する内側閉塞体と、内側閉塞体の室外側においてサッシ枠内周側を閉塞する外側閉塞体とを備え、内側閉塞体と外側閉塞体の間には中間空気層が設けてあり、サッシ枠の上下左右枠の少なくとも一つの枠は、吸音材と枠内空気層とを内部に有しており、吸音材の内周側面が中間空気層に面し且つ吸音材の外周側面、室内側面及び室外側面のうちの少なくとも一つの面が枠内空気層に面していることを特徴とする二重サッシ。
【請求項２】
枠内空気層は吸音材の室内側面及び室外側面に面していることを特徴とする請求項１に記載の二重サッシ。
【請求項３】
サッシ枠は複数の連通口を有する目板をサッシ枠内周側に着脱自在に有し、目板で吸音材を隠蔽してあることを特徴とする請求子１又は２に記載の二重サッシ。
【発明の詳細な説明】
【技術分野】
【０００１】
本発明は、ガラス面及び枠と障子の間から侵入する音を減衰する二重サッシに関する。
【背景技術】
【０００２】
特許文献１には、内側閉塞体と外側閉塞体との間の中間空気層におけるサッシ枠内周面に吸音材を設けた二重サッシが開示されている。
【０００３】
【特許文献１】特開２００２−６１４６５号公報
【発明の開示】
【発明が解決しようとする課題】
【０００４】
しかし、サッシ枠内周面に吸音材を配置しただけでは、高速道路騒音や航空機騒音に多く含まれる周波数成分（高周波域）及び一般道路騒音や電車騒音に多く含まれる周波数成分（低周波域）の両方に対して十分な遮音効果を得ることができないという問題がある。また、上述の従来技術のようにサッシ枠内周面に吸音材を設けた場合は、吸音材が外部から見えるので外観を損なうという問題点があった。
【０００５】
そこで、本発明は、遮音効果に優れ且つ外観が良い二重サッシの提供を目的とする。
【課題を解決するための手段】
【０００６】
請求項１に記載の発明は、サッシ枠と、サッシ枠内周側を閉塞する内側閉塞体と、内側閉塞体の室外側においてサッシ枠内周側を閉塞する外側閉塞体とを備え、内側閉塞体と外側閉塞体の間には中間空気層が設けてあり、サッシ枠の上下左右枠の少なくとも一つの枠は、吸音材と枠内空気層とを内部に有しており、吸音材の内周側面が中間空気層に面し且つ吸音材の外周側面、室内側面及び室外側面のうちの少なくとも一つの面が枠内空気層に面していることを特徴とする。
【０００７】
請求項２に記載の発明は、請求項１に記載の発明において、枠内空気層は吸音材の室内側面及び室外側面に面していることを特徴とする。
【０００８】
請求項３に記載の発明は、請求項１又は２に記載の発明において、サッシ枠は複数の連通口を有する目板をサッシ枠内周側に着脱自在に有し、目板で吸音材を隠蔽してあることを特徴とする。
【発明の効果】
【０００９】
請求項１に記載の発明によれば、サッシ枠の上下左右枠の少なくとも一つの枠は、内部に吸音材を配置していると共に、吸音材の室内側面、室外側面及び外周側面のうちの少なくとも一方の面が枠内空気層に面しているので、これらの枠内空気層によっても音を減衰できるので高い遮音効果を得ることができる。
また、吸音材のみでは高周波音しか減衰できないが、枠内空気層を吸音材に連通させることにより、低周波音も合わせて減衰できる。これにより、高周波域及び低周波域の両方に対して効果的な遮音を図ることができる。
吸音材はサッシ枠の内部に設けており、外部から吸音材が見え難くいので、外観が良い。
【００１０】
請求項２に記載の発明によれば、請求項１に記載の発明と同様の効果を奏すると共に、必要以上に枠の見込み寸法を大きくすることなく高い遮音効果を得ることができる。
【００１１】
請求項３に記載の発明によれば、請求項１又は２に記載の発明と同様の効果を奏すると共に、サッシ枠内周側の目板を脱着することにより吸音材のメンテナンスが容易にできる。また、目板には連通口が形成してあるので、目板をサッシ枠に装着してあるときにも中間空気層と吸音材との連通を確保することができる。
【発明を実施するための最良の形態】
【００１２】
以下に、添付図面を参照して本発明の実施の形態を説明する。図１は本発明の第１実施の形態にかかる二重サッシの縦断面図であり、図２は本発明の第１実施の形態にかかる二重サッシの横断面図であり、図３は本発明品の遮音効果試験の結果を比較例と共に示すグラフである。
第１実施の形態にかかる二重サッシ１は、内側閉塞体３と、外側閉塞体５と、内側閉塞体３と外側閉塞体５とに共通のサッシ枠７とを備えている。
内側閉塞体３は、引違いサッシであり、互いに引き違う２枚の障子６は框９と框９に取付けられた単板ガラス１１とから構成されている。各障子６は、各々サッシ枠７の室内側レール１３を移動して開閉するようになっている。
外側閉塞体５は、引違いサッシであり、互いに引き違う２枚の障子８は框１５と框１５に取付けられた単板ガラス１７とから構成されている。各障子８は、各々サッシ枠７の室外側レール１９を移動して開閉するようになっている。
サッシ枠７の内周側には内側閉塞体３と外側閉塞体５との間に中間空気層２０が設けられている。
サッシ枠７は、上枠２１と、下枠２３と、左右の竪枠２５、２５とから構成されており、上枠２１と、左右の竪枠２５、２５とは内部に吸音材３１を配置する吸音材収納空間３３と、吸音材収納空間３３の室内側に設けた室内側枠内空気層３５と、吸音材収納空間３３の室外側に設けた室外側枠内空気層３７とを有しており、これらの吸音材収納空間３３と、室内側枠内空気層３５と、室外側枠内空気層３７とは連通されている。
尚、本実施の形態では、室内側枠内空気層３５と室外側枠内空気層３７とは略同じ容積としてある。
吸音材収納空間３３が位置するサッシ枠７の内周壁７ａには、吸音材３１の脱着孔３９が設けてある。脱着孔３９には、目板４１が着脱自在に取付けてあり、吸音材３１を隠蔽している。
目板４１はパンチングメタルであり複数の連通口４２が形成されており、吸音材収納空間３３と中間空気層２０との連通が図られている。
吸音材３１は、発泡コンクリートやセラミック等の剛性吸音材であり且つ略直方体形状を成しており、内周側面３１ａが中間空気層２０に面し、室内側面３１ｂが室内側枠内空気層３５に面し、室外側面３１ｃが室外側枠内空気層３７に面して、各々の空気層に連通している。
【００１３】
次に、本実施の形態にかかる二重サッシ１の作用及び効果について説明する。二重サッシ１において、中間空気層２０に伝播した音は、開口部３９からサッシ枠７の内部２７に設けた吸音材３１により減衰されると共に、サッシ枠７の内部２７で吸音材３１の室内側にある室内側枠内空気層３５及び室外側枠内空気層３７の各枠内空気層でも減衰されるので、遮音性能を高めることができる。特に、吸音材３１で遮音し難い周波数（例えば、低周波数）の遮音を室内側枠内空気層３５及び室外側枠内空気層３７の各枠内空気層で減衰できるので、各周波数の音でもバランス良く遮音できる。
本実施の形態では、中間空気層２０の音エネルギーが吸音材３１で減衰されて室内側空気層３５及び室外側枠内空気層３７へ移動して各枠内空気層３５、３７で減衰され、再度吸音材３１を通って減衰されて中間空気層２０に戻ったり、室内側空気層３５から吸音材３１を通過して室外側枠内空気層３７へ移動したり、室外側空気層３７から吸音材３１を通過して室内側枠内空気層３７へ移動したり、中間空気層２０から再び吸音材３１へ移動して減衰されるという工程を繰り返すことによって遮音効果を得ることができる。
また、中間空気層２０に伝播した音に限らず、サッシ枠７に直接伝播した音もサッシ枠７の内部２７にある吸音材３１、室内側枠内空気層３５及び室外側枠内空気層３７で減衰できるので高い遮音効果を得ることができる。
吸音材３１はサッシ枠７の内部２７に設けており、外部から見え難くいので、外観が良い。また、吸音材３１はサッシ枠７の内部２７に納めることにより、形状、材質等の制限が少なくでき使用する吸音材の自由度が高い。
吸音材３１が目板４１によりサッシ枠の内周側から隠蔽されているので、更に外観が良いと共に、目板４１が脱着自在であるから吸音材３１のメンテナンスが容易である。
尚、本実施の形態において、サッシ枠内部２７の室内側枠内空気層３５及び室外側枠内空気層３７の少なくとも一方の容積を増せば、より遮音効果を高めることができる。
【００１４】
次に、本発明品と比較例品とについて遮音効果試験を行ったので、その試験及び結果について説明する。
試験では、内側閉塞体と外側閉塞体とのそれぞれに厚み５ｍｍの単板ガラスを用い、内側閉塞体と外側閉塞体間の中間空気層は１１５ｍｍとした。
上述した実施例と同様にサッシ枠の上枠及び竪枠の内部に吸音材３１と室内側枠内空気層３５と室外側枠内空気層３７とを設けたものを本発明品とした。尚、吸音材３１は上枠及び竪枠における各断面積が各々３０ｍｍ×５０ｍｍであり、室内側枠内空気層３５及び室外側枠内空気層３７は上枠及び竪枠における断面積が各々約７０ｍｍ×５０ｍｍである。
一方、中間空気層２０は本発明品と同じとし、サッシ枠内部に吸音材や枠内空気層を設けていないものを比較例品１とした。
また、中間空気層は本発明品と同じとし、サッシ枠内部に本実施の形態と同様に吸音材のみを設け、枠内空気層を設けていないものを比較例品２とした。
上記本発明品と比較例品１及び２について、ＪＩＳ Ａ １４１６に規定する測定方法に基づいて各周波数毎に音響透過損失を測定したので、その結果を下記表１に示すと共に、本発明品と比較例品１及び２の各値をプロットしたものを図３のグラフに示す。尚、下記表１及び図３のグラフにおいて、○は本発明品であり、●は比較例品１、△は比較例品２である。
【００１５】
【表１】
2006002466.tif 000003
【００１６】
図３から明らかなように、本発明品は比較例品１との比較においては、低周波域（周波数１２５Ｈｚ〜約４００Ｈｚ）及びコインシデンス領域（周波数２５３０Ｈｚ近辺の高周波域）において音響透過損失に優れ、低周波域とコインシデンス領域との間では音響透過損失は略同等であった。また、本発明品と比較例品２との比較においては、コインシデンス領域では音響透過損失が略同等であり、低周波域とコインシデンス領域との間では本発明品は比較例品２に比べて音響透過損失が僅かに劣っているが、低周波域では本発明品の方が優れていた。即ち、本発明品は、低周波域とコインシデンス領域とを総合的に見ると、比較例品１及び２よりも遮音効果に優れている。
尚、図３において、Ｔ−１〜Ｔ−５で示すのは、遮音性能の適合等級（Ｔ−１〜Ｔ−４まではＪＩＳ  Ａ  ４７０６に規定してあり、Ｔ−５はＴ−４等級線の各周波数に５ｄＢを加算することにより設定した）である。遮音性能の適合等級について、表１の測定値から判定したところ、本発明品はＴ−５の適合等級であった。
【００１７】
次に、図４を参照して本発明の第２実施の形態を説明するが、以下に説明する実施の形態において、上述した第１実施の形態と同一の作用効果を奏する部分には同一の符号を付することによりその部分の詳細な説明を省略し、以下の説明では上述した実施１実施の形態と主に異なる点を説明する。
第２実施の形態では、吸音材３１の外周側面３１ｄに外周側枠内空気層３８を設けている点が第１実施の形態と異なる。尚、第２実施の形態では、上枠２１の他に左右竪枠２５にも上枠２１と同様に外周側枠内空気層３８を設けている。
この第２実施の形態によれば、吸音材３１の室内側と室外側と外周側との三方に枠内空気層を設けているので、第１実施の形態よりも更に遮音効果に優れた二重サッシを提供することができる。
【００１８】
本発明は、上述した実施の形態に限らず、本発明の要旨を逸脱しない範囲で種々変形可能である。
例えば、第１実施の形態において、サッシ枠７の内部２７には室内側枠内空気層３５と室外側枠内空気層３７と両方設けることに限らず、いずれか一方のみであってもよい。また、室内側枠内空気層３５と室外側枠内空気層３７とは異なる容積としてもよいし、第２実施の形態において、室内側枠内空気層３５と室外側枠内空気層３７とを設けずに、外周側枠内空気層３８のみとしてもよい。
内側閉塞体３、外側閉塞体５は樹脂パネルであってもよい。
吸音材３１は、グラスウールやロックウール等の繊維系吸音材や、薄膜吸音材、穴あき板、スリット板やこれらを複合して用いたものであってもよい。
また、吸音材３１は上枠２１のみや竪枠２５のみ配置してもよい。
下枠２３にも吸音材３１を配置すると共に吸音材の室内側及び室外側の少なくとも一方にサッシ枠の枠内空気層３５又は３７を設けてもよい。
目板４１は、パンチングメタルに限らず、網材やスリット板であってもよく、中間空気層と吸音材を連通させるものであればよい。尚、請求項１及び２に記載の発明にあっては、目板４１は設けないで、サッシ枠の内周側面に連通口４２を設けて吸音材３１と中間空気層２０とを連通するものであってもよい。
上述した実施の形態において、内側閉塞体３と外側閉塞体５との少なくとも一方を複層パネルとしてもよい。
二重サッシ１は、内側閉塞体３と外側閉塞体５との両方を嵌め殺し障子としてもよいし、両方を上げ下げ障子や開き障子としてもよいし、あるいは内側閉塞体３と外側閉塞体５とを異なる窓種の障子としてもよいし、各閉塞体の種類は問わない。
サッシ枠内部２７の室内側枠内空気層３５と室外側枠内空気層３７とは、互いに異なる容積としてもよい。
【図面の簡単な説明】
【００１９】
【図１】本発明の第１実施の形態にかかる二重サッシの縦断面図である。
【図２】本発明の第１実施の形態にかかる二重サッシの横断面図である。
【図３】本発明について比較例と比較した試験結果を示すグラフである。
【図４】本発明の第２実施の形態にかかる二重サッシの縦断面図である。
【符号の説明】
【００２０】
１      二重サッシ
３      内側閉塞体
５      外側閉塞体
７      サッシ枠
３１    吸音材
３５    室内側枠内空気層
３７    室外側枠内空気層
３８    外周側枠内空気層
４１    目板
４２    連通口
【図１】
2006002466.tif 000004
【図２】
2006002466.tif 000005
【図３】
2006002466.tif 000006
【図４】
2006002466.tif 000007